(57)【要約】【課題】  使い勝手がよく、間接活線作業を適正かつ容易に行うことを可能にする間接活線工具を提供する。【解決手段】  棒状の把持工具本体３の先端に開閉自在なヤットコ２が設けられた間接活線工具１において、ヤットコ２の先端部２１ａ、２２ａから延び、ヤットコ２の開閉方向Ｆ２と直交する方向Ｆ３に回動自在で、任意の位置で固定可能な可動把持部４を設ける。【選択図】  図１
2016119825.tif 000002
【特許請求の範囲】
【請求項１】
棒状の把持工具本体の先端に開閉自在なヤットコが設けられた間接活線工具において、
前記ヤットコの先端部から延び、前記ヤットコの開閉方向と直交する方向に回動自在で、任意の位置で固定可能な可動把持部を設けた、
ことを特徴とする間接活線工具。
【請求項２】
棒状の把持工具本体の先端に開閉自在なヤットコが設けられた間接活線工具に、着脱自在に取り付けられる間接活線先端工具であって、
前記ヤットコの先端部に着脱自在に装着される装着部と、
前記装着部が前記ヤットコの先端部に装着された状態で前記ヤットコの先端部から延び、前記ヤットコの開閉方向と直交する方向に回動自在で、任意の位置で固定可能な可動把持部と、
を備えることを特徴とする間接活線先端工具。
【発明の詳細な説明】
【技術分野】
【０００１】
この発明は、先端にヤットコが配設された間接活線工具および、ヤットコの先端部に取り付けられる間接活線先端工具に関する。
【背景技術】
【０００２】
配電線路の間接活線作業では、間接活線工具のヤットコで電線類を把持したり、ボルト、ナットなどの金具類を把持したり、電線への絶縁テープの巻き付けなどを行っている。しかしながら、従来のヤットコは、ペンチのように開閉が自在なだけであるため、作業内容や作業状況（装柱状態、作業場所、作業位置等）によっては作業がしにくく、多大な労力と時間とを要する場合がある。
【０００３】
例えば、電線に絶縁テープを巻き付ける場合、絶縁テープを伸ばしながら巻き付けなければならないが、絶縁テープを適正・確実に把持できないために、絶縁テープを適正に巻き付けられないことや、伸ばしすぎた絶縁テープを電線の向こう側に落として絶縁テープがさらに伸びてしまうこと、などが生じ得た。そして、このように作業がしにくいことによって、多大な労力と時間とを要するばかりでなく、作業者の熟練度などによっては、作業が適正に行えないおそれがあるとともに、作業者に疲労感を与えるおそれがあった。
【０００４】
一方、作業者の労力を低減して容易に絶縁テープの巻き付けを行うことができる、というテープ巻き付け先端工具が知られている（例えば、特許文献１参照。）。この先端工具は、ロール状の絶縁テープを保持するための少なくとも一対のテープ保持棒を備え、この一対のテープ保持棒を、ヤットコの把持部先端側の接離方向と直交する方向に沿って突出すると共に、把持部先端側が接離するのに伴って互いに平行を保ちつつ接離するように配設するものである。
【先行技術文献】
【特許文献】
【０００５】
【特許文献１】特開２００８−０１７６００号公報
【発明の概要】
【発明が解決しようとする課題】
【０００６】
ところで、間接活線作業においては、作業内容や作業状況によっては斜めから対象物（絶縁テープなど）を把持したり、動かしたりすることで、適正かつ容易に作業が行える場合がある。しかしながら、特許文献１の先端工具では、一対のテープ保持棒が、ヤットコの把持部先端側の接離方向と直交する方向に平行に突出しているだけであり、対象物に対するアプローチ角を変えられない。このため、作業内容や作業状況によっては対象物を適正かつ容易に把持したり、動かしたりすることが困難な場合がある。しかも、絶縁テープの巻き付けに特化した先端工具であるため、他の作業には不向きなおそれもある。
【０００７】
そこでこの発明は、使い勝手がよく、間接活線作業を適正かつ容易に行うことを可能にする、間接活線工具および間接活線先端工具を提供することを目的とする。
【課題を解決するための手段】
【０００８】
上記課題を解決するために、請求項１の発明は、棒状の把持工具本体の先端に開閉自在なヤットコが設けられた間接活線工具において、前記ヤットコの先端部から延び、前記ヤットコの開閉方向と直交する方向に回動自在で、任意の位置で固定可能な可動把持部を設けた、ことを特徴とする。
【０００９】
請求項２の発明は、棒状の把持工具本体の先端に開閉自在なヤットコが設けられた間接活線工具に、着脱自在に取り付けられる間接活線先端工具であって、前記ヤットコの先端部に着脱自在に装着される装着部と、前記装着部が前記ヤットコの先端部に装着された状態で前記ヤットコの先端部から延び、前記ヤットコの開閉方向と直交する方向に回動自在で、任意の位置で固定可能な可動把持部と、を備えることを特徴とする。
【発明の効果】
【００１０】
請求項１の発明によれば、作業内容や作業状況（装柱状態、作業場所、作業位置等）などに応じて、可動把持部を所望・任意の角度に回動させることで、対象物を適正・確実かつ容易に把持することでき、電線に絶縁テープを巻き付ける作業などを容易かつ適正に行うことが可能となる。このように、作業内容や作業状況などに柔軟に対応できて使い勝手がよく、間接活線作業を適正かつ容易に行うことが可能となる。
【００１１】
請求項２の発明によれば、請求項１の発明と同様に、可動把持部を所望・任意の角度に回動させることで、対象物を適正・確実かつ容易に把持することでき、作業内容や作業状況などに柔軟に対応できて使い勝手がよく、間接活線作業を適正かつ容易に行うことが可能となる。しかも、既存・既製の間接活線工具のヤットコに着脱自在なため、間接活線工具を改良、加工したりする必要がなく、既存・既製の間接活線工具をそのまま有効に活用することができるとともに、複数の間接活線工具に対して使い回しすることができ、設備費用を低減することができる。
【図面の簡単な説明】
【００１２】
【図１】この発明の実施の形態１に係る間接活線工具のヤットコ周辺を示す正面図（ａ）と側面図（ｂ）である。
【図２】この発明の実施の形態１に係る間接活線工具の全体を示す正面図である。
【図３】図２の間接活線工具を使用している状態を示す概念図である。
【図４】この発明の実施の形態２に係る間接活線先端工具を示す正面図（ａ）と側面図（ｂ）である。
【発明を実施するための形態】
【００１３】
以下、この発明を図示の実施の形態に基づいて説明する。
【００１４】
（実施の形態１）
図１〜図３は、この実施の形態を示し、図２は、この実施の形態に係る間接活線工具１の全体を示す正面図である。この間接活線工具１は、間接活線作業・工法において使用される工具であり、棒状の把持工具本体３の先端に開閉自在なヤットコ２が設けられ、さらに、ヤットコ２の先端部２１ａ、２２ａに、それぞれ可動把持部（延設部材）４が配設されている。
【００１５】
把持工具本体３は、絶縁性の棒体で、上端部には、金属製の支持具３１が取付けられている。この支持具３１の上部には、ヤットコ２を構成する可動アーム２１、２２が支持ピン（図示せず）を介して揺動可能に支持され、この可動アーム２１、２２は、操作ロッド３２の上端部に連結されている。
【００１６】
一方、把持工具本体３には、レバー３３が揺動可能に支持され、このレバー３３の上端部には、操作ロッド３２の下端部がピンで回動自在に連結されている。そして、レバー３３を矢印Ｆ１方向に操作することによって、第１の可動アーム２１および第２の可動アーム２２（ヤットコ２）が、矢印Ｆ２方向に互いに開閉・回動するものである。このように、把持工具本体３を垂直に延ばした状態で、ヤットコ２が水平軸を軸心にして開閉するものである。このようなヤットコ２および把持工具本体３の構成は、既存・既製の間接活線工具と同様となっている。
【００１７】
可動把持部４は、縦長の略直方体状で、ヤットコ２の可動アーム２１、２２の先端部２１ａ、２２ａに、それぞれ回動自在に設けられている。すなわち、ヤットコ２の先端部２１ａ、２２ａから延び、ヤットコ２の開閉方向Ｆ１と直交する方向Ｆ３に回動自在で、任意の位置・角度で固定可能となっている。
【００１８】
具体的には、図１に示すように、ヤットコ２の可動アーム２１、２２の先端部２１ａ、２２ａから、先端部２１ａ、２２ａに沿って延びるように、可動把持部４が配置されている。この可動把持部４の幅Ｈは、可動アーム２１、２２の幅とほぼ同寸法で、可動把持部４の長さは、想定される作業において、絶縁テープなどの対象物を把持したり動かしたりしやすいように、設定されている。
【００１９】
また、可動把持部４の可動アーム２１、２２側には、ネジ挿入孔（図示せず）が形成されている。一方、可動アーム２１、２２の先端部２１ａ、２２ａには、ネジ孔（図示せず）が形成され、調整ネジ５がネジ挿入孔に挿入されてネジ孔に締め付けられることで、各可動把持部４が可動アーム２１、２２に着脱自在に取り付けられている。ここで、調整ネジ５の軸心５１、つまり、可動把持部４の回動軸は、ヤットコ２の開閉軸に対して直交している。
【００２０】
この調整ネジ５を緩めることで、調整ネジ５を軸心５１として可動把持部４が、図１（ａ）の手前方向および奥行方向に、つまり、図１（ｂ）に示すように、ヤットコ２の開閉方向Ｆ２と直交する方向Ｆ３に、回動するようになっている。換言すると、ヤットコ２が開閉する面から突出するように、可動把持部４が回動する。そして、調整ネジ５を緩めて可動把持部４を所望の角度まで回動させ、調整ネジ５を締め付けることで、可動把持部４を任意の位置・角度に固定できるものである。
【００２１】
また、可動把持部４は、既存・既製の多種多様な先端工具を着脱自在に取り付けられるように、その形状が設定されている。すなわち、先端工具が取り付けられる可動把持部４の先端部が、ヤットコ２の先端部２１ａ、２２ａとほぼ同形状に形成されている。
【００２２】
このような構成の間接活線工具１によれば、ヤットコ２の先端部２１ａ、２２ａから延びる可動把持部４が設けられ、しかも、この可動把持部４がヤットコ２の開閉方向Ｆ２と直交する方向Ｆ３に回動自在なため、間接活線工具１による間接活線作業を適正かつ容易に行うことが可能となる。すなわち、作業内容や作業状況（装柱状態、作業場所、作業位置等）などに応じて、可動把持部４を所望の角度に回動させることで、可動把持部４で対象物を適正・確実かつ容易に把持することができる。
【００２３】
また、高所作業車など限られた作業スペースにおいても、可動把持部４の角度を変えることで、悪い作業姿勢をとることなく、対象物を適正・確実かつ容易に把持することができ、作業性が向上する。この結果、間接活線作業における労力や時間、さらには作業者Ｍの疲労感を軽減することができるとともに、作業者Ｍの熟練度によらず適正に作業を行うことができる。このように、作業内容や作業状況などに柔軟に対応できて使い勝手がよく、間接活線作業を適正かつ容易に行うことが可能となる。
【００２４】
例えば、図３に示すように、電線１００に絶縁テープ１０１を巻き付ける作業を行う場合、可動把持部４を回動させて、絶縁テープ１０１のロール部１０２を所望の角度から可動把持部４で確実に把持することができるため、絶縁テープ１０１を引っ張る際に伸ばしすぎたりすることがなくなる。つまり、作業者Ｍが直接手で絶縁テープ１０１を持って巻き付ける場合と同様な作業を行うことが可能となり、容易かつ適正な作業が可能となるとともに、作業者Ｍの負担が軽減される。ここで、絶縁テープ１０１のロール部１０２を幅方向に可動把持部４で把持してもよいし、一方の可動把持部４をロール部１０２の環内に挿入して、ロール部１０２を厚み方向に可動把持部４で把持してもよい。
【００２５】
また、ヤットコ２に多種多様な先端工具を取り付けて作業する際に、所望の角度に回動させた可動把持部４に先端工具を取り付けることで、作業内容や作業状況などに応じて先端工具の取付角度・位置を変えることができる。この結果、先端工具を用いた間接活線作業を適正かつ容易に行うことが可能となる。一方、既存・既製のヤットコ２に可動把持部４を設けるだけであるため、構造が簡易で、容易かつ低コストで構成することができる。
【００２６】
（実施の形態２）
図４は、この実施の形態に係る間接活線先端工具１０を示す正面図（ａ）と側面図（ｂ）である。この間接活線先端工具１０は、棒状の把持工具本体３の先端に開閉自在なヤットコ２が設けられた既存・既製の間接活線工具に、着脱自在に取り付けられる先端工具であり、装着部６と可動把持部７とを備える。ここで、実施の形態１と同等の構成については、同一符号を付することでその説明を省略する。また、同等の構成の間接活線先端工具１０を２つ備え、それぞれがヤットコ２の可動アーム２１、２２の先端部２１ａ、２２ａに取り付けられる場合について説明する。
【００２７】
装着部６は、ヤットコ２の可動アーム２１、２２の先端部２１ａ、２２ａに、着脱自在に装着される部材である。すなわち、縦長の略直方体状の装着本体部６１と、この装着本体部６１の一辺に沿って上方に延びる装着連結部６２とを有している。また、装着本体部６１の下面から、可動アーム２１、２２の先端部２１ａ、２２ａを挿入可能な装着穴６１ａが形成され、さらに、装着本体部６１の一側面（装着連結部６２に沿った面）から、装着穴６１ａまで貫通するネジ孔６１ｂが形成されている。
【００２８】
そして、ネジ孔６１ｂに取付ネジ８１が螺合され、装着穴６１ａに可動アーム２１、２２の先端部２１ａ、２２ａを挿入して、取付ネジ８１を締め付けることで、間接活線先端工具１０（装着部６）がヤットコ２の先端部２１ａ、２２ａに取り付けられる。一方、取付ネジ８１を緩めることで、間接活線先端工具１０をヤットコ２から取り外せるものである。また、装着連結部６２には、ネジ挿入孔６２ａが形成されている。
【００２９】
可動把持部７は、装着部６がヤットコ２の先端部２１ａ、２２ａに装着された状態でヤットコ２の先端部２１ａ、２２ａから延び、ヤットコ２の開閉方向Ｆ２と直交する方向Ｆ３に回動自在で、任意の位置・角度で固定可能となっている。
【００３０】
具体的には、縦長の直方体状の棒体で、ヤットコ２の可動アーム２１、２２の先端部２１ａ、２２ａから、先端部２１ａ、２２ａに沿って延びるように配置されている。この可動把持部７の幅Ｈおよび長さは、想定される作業において、絶縁テープなどの対象物を把持したり動かしたりしやすいように、設定されている。
【００３１】
また、可動把持部７の一端面７ａは、円弧状に形成されて回動がしやすいようになっている。この一端面側７ａには、対向する側面を貫通するネジ孔７ｂが形成されている。そして、調整ネジ８２がネジ挿入孔６２ａに挿入されてネジ孔７ｂに締め付けられることで、可動把持部７が装着部６に着脱自在に取り付けられている。このようにして装着部６に取り付けられた状態で、可動把持部７がヤットコ２の先端部２１ａ、２２ａから延びるようになっている。また、調整ネジ８２の軸心（ネジ部）、つまり、可動把持部７の回動軸は、ヤットコ２の開閉軸に対して直交している。
【００３２】
この調整ネジ８２を緩めることで、調整ネジ８２を軸として可動把持部７が、図４（ａ）の手前方向および奥行方向に、つまり、図４（ｂ）に示すように、ヤットコ２の開閉方向Ｆ２と直交する方向Ｆ３に、回動するようになっている。換言すると、ヤットコ２が開閉する面から突出するように、可動把持部７が回動する。そして、調整ネジ８２を緩めて可動把持部７を所望の角度まで回動させ、調整ネジ８２を締め付けることで、可動把持部７を任意の位置・角度に固定できるものである。
【００３３】
また、可動把持部７は、既存・既製の多種多様な先端工具を着脱自在に取り付けられるように、その形状が設定されている。すなわち、先端工具が取り付けられる可動把持部７の先端部が、ヤットコ２の先端部２１ａ、２２ａとほぼ同形状に形成されている。
【００３４】
このように、この実施の形態によれば、実施の形態１と同様に、可動把持部７を所望・任意の角度に回動させることで、対象物を適正・確実かつ容易に把持することでき、作業内容や作業状況などに柔軟に対応できて使い勝手がよく、間接活線作業を適正かつ容易に行うことが可能となる。しかも、間接活線先端工具１０が既存・既製の間接活線工具のヤットコ２に着脱自在なため、間接活線工具を改良、加工したりする必要がなく、既存・既製の間接活線工具をそのまま有効に活用することができるとともに、複数の間接活線工具に対して使い回しすることができ、設備費用を低減することができる。
【００３５】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態１では、可動把持部４が可動アーム２１、２２に対して着脱自在になっているが、可動把持部４を可動アーム２１、２２に一体的に設けてもよい。例えば、可動把持部４の一端部に球体を設け、可動アーム２１、２２の先端に設けた球受部内に球体を装着し、球体が球受部内で回転することで可動把持部４が回動するようにしてもよい。このようにして可動把持部４を可動アーム２１、２２に一体的に設けることで、可動把持部４の落下を防止して安全性を高めることができる。
【００３６】
また、可動把持部４、７を任意の角度で固定できるようにしているが、所定の角度毎（例えば、１５度毎）に固定できるようにしてもよい。例えば、可動把持部４に凸部を設け、ヤットコ２の先端部２１ａ、２２ａに、この凸部が嵌合する凹部を所定の角度毎に設けて、可動把持部４を回動させると、所定の角度毎に凸部が凹部に嵌合して固定できるようにしてもよい。
【符号の説明】
【００３７】
１        間接活線工具
２        ヤットコ
２１、２２  可動アーム
２１ａ、２２ａ  先端部
３        把持工具本体
４        可動把持部
５        調整ネジ
５１      軸心
１０      間接活線先端工具
６        装着部
６１      装着本体部
６１ａ    装着穴
６１ｂ    ネジ孔
６２      装着連結部
７        可動把持部
７ｂ      ネジ孔
８１      取付ネジ
８２      調整ネジ
【図１】
2016119825.tif 000003
【図２】
2016119825.tif 000004
【図３】
2016119825.tif 000005
【図４】
2016119825.tif 000006